【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】
ローカルエリアネットワーク、インターネット等のコンピュータネットワークに接続するための第１の接続手段と、
公衆網に接続するための第２の接続手段と、
前記コンピュータネットワークの電子メールサーバ内のポストオフィスの中から所望のポストオフィスを指定するポストオフィス指定手段と、
前記ポストオフィス指定手段により指定したポストオフィスに格納されている電子メールデータを前記電子メールサーバから受信する電子メール受信手段と、
前記電子メール受信手段により受信した電子メールデータをファクシミリ画像データに変換する変換手段と、
前記変換手段により変換した画像データを所望の宛先に対してファクシミリ送信する送信手段と、
前記前記ポストオフィス指定手段によって指定されるべきポストオフィスと前記送信手段でファクシミリ送信するための宛先とを対応付けた情報を保持する保持手段とを有し、
前記送信手段は前記保持手段で保持されている情報に基づきファクシミリ送信を実行することを特徴とする通信装置。
【請求項２】
請求項１において、
前記公衆網から遠隔指示を受信する手段を有し、
前記遠隔指示により指定された前記電子メールサーバのポストオフィスから電子メールデータを引き出すことを特徴とする通信装置。
【請求項３】
請求項２において、
前記遠隔指示としてユーザ識別情報とパスワード情報を受信し、受信したユーザ識別情報に対応するポストオフィスが前記電子メールサーバに存在し、そのポストオフィスに対して予め設定されているパスワード情報と受信したパスワード情報が一致する場合に、電子メールデータを前記電子メールサーバから引き出すことを特徴とする通信装置。
【請求項４】
請求項２又は３において、
前記受信した遠隔指示にファクシミリ送信する宛先の情報が含まれている場合、その宛先情報に対応する宛先に前記変換した画像データを送信することを特徴とする通信装置。
【請求項５】
請求項４において、
前記受信した遠隔指示にファクシミリ送信する宛先情報が含まれていない場合、予め設定されている宛先に前記変換した画像データを送信することを特徴とする通信装置。
【請求項６】
請求項２において、
前記遠隔指示を前記公衆網から受信し、受信した遠隔指示に従って、前記電子メールサーバから電子メールデータを引き出し、前記変換手段による画像変換が終了してファクシミリ送信すべき画像データが準備できた時に、前記公衆網との接続が継続されていると、そのまま前記公衆網を介したファクシミリ送信を実行し、他方、前記公衆網との接続が継続されていない、設定された宛先に自動発呼して前記変換した画像データをファクシミリ送信することを特徴とする通信装置。
【請求項７】
請求項１において、
前記電子メールアクセス手段により前記電子メールサーバにアクセスした結果、前記電子メールサーバのポストオフィスに新たな電子メールデータが保持されていない場合、前記ファクシミリ送信する宛先に、新たな電子メールデータが保持されていないことを通知する手段を有することを特徴とする通信装置。
【請求項８】
請求項２において、
前記公衆網から発信者識別情報を受信する手段を有し、
前記遠隔指示にファクシミリ送信する宛先情報が含まれていない場合、前記発信者識別情報の宛先に前記変換した画像データを送信することを特徴とする通信装置。
【請求項９】
請求項２において、
前記受信した遠隔指示に前記電子メールサーバのポストオフィスからの電子メールデータの引き出し方法に関する情報が含まれている場合、その引き出し方法に関する情報に対応した方法に従って、前記電子メールデータを引き出すことを特徴とする通信装置。
【請求項１０】
請求項９において、
前記遠隔指示に前記引き出し方法に関する情報が含まれていない場合、予め設定されている電子メールデータの引き出し方法に従って、電子メールデータを引き出すことを特徴とする通信装置。
【請求項１１】
ローカルエリアネットワーク、インターネット等のコンピュータネットワークと公衆網に接続され、ファクシミリ通信機能を有する通信装置における通信方法において、
ポストオフィスとファクシミリ宛先とを対応付けた情報を保持し、
前記コンピュータネットワークの電子メールサーバ内のポストオフィスの中から所望のポストオフィスを指定し、指定したポストオフィスに格納されている電子メールデータを前記電子メールサーバから受信し、
前記受信した電子メールデータをファクシミリ画像データに変換し、
前記変換した画像データを、前記保持されている情報に基づき受信した電子メールのポストオフィスに対応した宛先に対してファクシミリ送信することを特徴とする通信方法。
【請求項１２】
請求項１１において、
前記遠隔指示としてユーザ識別情報とパスワード情報を受信し、受信したユーザ識別情報に対応するポストオフィスが前記電子メールサーバに存在し、そのポストオフィスに対して予め設定されているパスワード情報と受信したパスワード情報が一致する場合に、電子メールデータを前記電子メールサーバから引き出すことを特徴とする通信方法。
【請求項１３】
請求項１１において、
前記受信した遠隔指示にファクシミリ送信する宛先の情報が含まれている場合、その宛先情報に対応する宛先に前記変換した画像データを送信することを特徴とする通信方法。
【請求項１４】
請求項１３において、
前記受信した遠隔指示にファクシミリ送信する宛先情報が含まれていない場合、予め設定されている宛先に前記変換した画像データを送信することを特徴とする通信装置。
【請求項１５】
請求項１１において、
前記遠隔指示を前記公衆網から受信し、受信した遠隔指示に従って、前記電子メールサーバから電子メールデータを引き出し、前記画像変換が終了してファクシミリ送信すべき画像データが準備できた時に、前記公衆網との接続が継続されていると、そのまま前記公衆網を介したファクシミリ送信を実行し、他方、前記公衆網との接続が継続されていない、設定された宛先に自動発呼して前記変換した画像データをファクシミリ送信することを特徴とする通信方法。
【請求項１６】
請求項１１において、
前記電子メールサーバにアクセスした結果、前記電子メールサーバのポストオフィスに新たな電子メールデータが保持されていない場合、前記ファクシミリ送信する宛先に、新たな電子メールデータが保持されていないことを通知することを特徴とする通信方法。
【請求項１７】
請求項１１において、
前記公衆網から発信者識別情報を受信し、
前記遠隔指示にファクシミリ送信する宛先情報が含まれていない場合、前記発信者識別情報の宛先に前記変換した画像データを送信することを特徴とする通信方法。
【請求項１８】
請求項１１において、
前記受信した遠隔指示に前記電子メールサーバのポストオフィスからの電子メールデータの引き出し方法に関する情報が含まれている場合、その引き出し方法に関する情報に対応した方法に従って、前記電子メールデータを引き出すことを特徴とする通信方法。
【請求項１９】
請求項１８において、
前記遠隔指示に前記引き出し方法に関する情報が含まれていない場合、予め設定されている電子メールデータの引き出し方法に従って、電子メールデータを引き出すことを特徴とする通信方法。
【請求項２０】
ローカルエリアネットワーク、インターネット等のコンピュータネットワークと公衆網に接続され、ファクシミリ通信機能を有する通信装置のコンピュータにより実行されるコンピュータプログラムを格納した記憶媒体において、
ポストオフィスとファクシミリ宛先とを対応付けた情報を保持するための処理と、
前記コンピュータネットワークの電子メールサーバ内のポストオフィスの中から所望のポストオフィスを指定し、指定したポストオフィスに格納されている電子メールデータを前記電子メールサーバから受信するための処理と、
前記受信した電子メールデータをファクシミリ画像データに変換させるための処理と、
前記変換した画像データを、前記保持されている情報に基づき受信した電子メールのポストオフィスに対応した宛先に対してファクシミリ送信する処理を有するコンピュータプログラムを格納したことを特徴とする記憶媒体。
【請求項２１】
請求項２０において、
前記電子メールサーバからの受信処理は、前記遠隔指示としてユーザ識別情報とパスワード情報を受信し、受信したユーザ識別情報に対応するポストオフィスが前記電子メールサーバに存在し、そのポストオフィスに対して予め設定されているパスワード情報と受信したパスワード情報が一致する場合に、電子メールデータを前記電子メールサーバから引き出すことコンピュータプログラムであることを特徴とする記憶媒体。
【請求項２２】
請求項２０において、
前記受信した遠隔指示にファクシミリ送信する宛先の情報が含まれている場合、その宛先情報に対応する宛先に前記変換した画像データを送信するコンピュータプログラムを格納したことを特徴とする記憶媒体。
【請求項２３】
請求項２２において、
前記受信した遠隔指示にファクシミリ送信する宛先情報が含まれていない場合、予め設定されている宛先に前記変換した画像データを送信するコンピュータプログラムを格納したことを特徴とする記憶媒体。
【請求項２４】
請求項２０において、
前記遠隔指示を前記公衆網から受信し、受信した遠隔指示に従って、前記電子メールサーバから電子メールデータを引き出し、前記画像変換が終了してファクシミリ送信すべき画像データが準備できた時に、前記公衆網との接続が継続されていると、そのまま前記公衆網を介したファクシミリ送信を実行し、他方、前記公衆網との接続が継続されていない、設定された宛先に自動発呼して前記変換した画像データをファクシミリ送信するコンピュータプログラムを格納したことを特徴とする記憶媒体。
【請求項２５】
請求項２０において、
前記電子メールサーバにアクセスした結果、前記電子メールサーバのポストオフィスに新たな電子メールデータが保持されていない場合、前記ファクシミリ送信する宛先に、新たな電子メールデータが保持されていないことを通知するコンピュータプログラムを格納したことを特徴とする記憶媒体。
【請求項２６】
請求項２０において、
前記公衆網から発信者識別情報を受信し、
前記遠隔指示にファクシミリ送信する宛先情報が含まれていない場合、前記発信者識別情報の宛先に前記変換した画像データを送信するコンピュータプログラムを格納したことを特徴とする記憶媒体。
【請求項２７】
請求項２０において、
前記受信した遠隔指示に前記電子メールサーバのポストオフィスからの電子メールデータの引き出し方法に関する情報が含まれている場合、その引き出し方法に関する情報に対応した方法に従って、前記電子メールデータを引き出すコンピュータプログラムを格納したことを特徴とする記憶媒体。
【請求項２８】
請求項２７において、
前記遠隔指示に前記引き出し方法に関する情報が含まれていない場合、予め設定されている電子メールデータの引き出し方法に従って、電子メールデータを引き出すコンピュータプログラムを格納したことを特徴とする記憶媒体。
【手続補正２】
【補正対象書類名】明細書
【補正対象項目名】００１２
【補正方法】変更
【補正の内容】
【００１２】
【課題を解決するための手段】
本発明では、通信装置に、ローカルエリアネットワーク、インターネット等のコンピュータネットワークに接続するための第１の接続手段と、公衆網に接続するための第２の接続手段と、前記コンピュータネットワークの電子メールサーバ内のポストオフィスの中から所望のポストオフィスを指定するポストオフィス指定手段と、前記ポストオフィス指定手段により指定したポストオフィスに格納されている電子メールデータを前記電子メールサーバから受信する電子メール受信手段と、前記電子メール受信手段により受信した電子メールデータをファクシミリ画像データに変換する変換手段と、前記変換手段により変換した画像データを所望の宛先に対してファクシミリ送信する送信手段と、前記前記ポストオフィス指定手段によって指定されるべきポストオフィスと前記送信手段でファクシミリ送信するための宛先とを対応付けた情報を保持する保持手段とを設け、前記送信手段が前記保持手段で保持されている情報に基づきファクシミリ送信を実行するようになしたものである。
【手続補正３】
【補正対象書類名】明細書
【補正対象項目名】０１１６
【補正方法】変更
【補正の内容】
【０１１６】
【発明の効果】
以上の様に、本発明によれば、コンピュータネットワークの電子メールデータをファクシミリ画像データに変換してファクシミリ送信するので、システム構成を簡単にでき、情報の機密性を低下させることもない。しかも、電子メールを受信する際のポストオフィスとファクシミリ宛先を対応付けた保持し、それに基づく宛先にファクシミリ送信させるので、ポストオフィスに応じた柔軟な運用が可能となる。
【手続補正４】
【補正対象書類名】明細書
【補正対象項目名】０１１７
【補正方法】削除
【補正の内容】
【手続補正５】
【補正対象書類名】明細書
【補正対象項目名】０１１８
【補正方法】削除
【補正の内容】
【手続補正６】
【補正対象書類名】明細書
【補正対象項目名】０１１９
【補正方法】削除
【補正の内容】
【手続補正７】
【補正対象書類名】明細書
【補正対象項目名】０１２０
【補正方法】削除
【補正の内容】